(57)【要約】【目的】災害時の避難場所等で雨水利用によるトイレ排水および太陽熱利用による簡易給湯を行なうこと。【構成】災害時支援システムは、避難場所等に設置される濾過機能を備えた可搬式の雨水貯留タンクと、真空貯湯型の可搬式太陽熱集熱器とを有し、雨水貯留タンク内に予め貯水された雨水を一方ではトイレ排水として供給し、他方では太陽熱集熱器に供給して簡易給湯を行なうようなポンプを配設し、災害時には、予め蓄電したバッテリーによりポンプを作動させる。太陽光発電モジュールまたは風力発電によってバッテリーを蓄電させる場合には、それらの発電状況を表示したり、バッテリーの蓄電状況を表示したりする表示装置や、パソコンおよび簡易照明を含んだ設備を、学校等の公共施設に設置しておくことにより、平常時においては、環境教育用システムとして利用可能である。【選択図】　　図１
2004044089.tif 000002
【特許請求の範囲】
【請求項１】
濾過機能を備えた可搬式の雨水貯留タンクと、真空貯湯型の可搬式太陽熱集熱器とを災害時の避難所等に設置し、前記雨水貯留タンク内に予め貯水された雨水を一方では前記太陽熱集熱器に供給して簡易給湯を行なうような配管を配設するとともに、他方では避難所等のトイレ施設にトイレ排水として供給するような配管を含んだポンプ設備を配設し、災害時には前記ポンプ設備を予め蓄電したバッテリーによって作動させるようにしてなる災害支援システム。
【請求項２】
前記雨水貯留タンクと太陽熱集熱器との間に浄水装置を配設したことを特徴とする請求項１に記載の災害支援システム。
【請求項３】
前記避難所等には、前記雨水貯留タンクの濾過された雨水を貯蔵する予備タンクを配設し、その貯留された雨水を災害時に前記ポンプ設備によって太陽熱集熱器に供給するように構成したことを特徴とする請求項１または２に記載の災害支援システム。
【請求項４】
前記バッテリーに電力を供給する太陽光発電モジュールまたは風力発電装置を前記避難所等に設置すると共に、必要に応じて、インバータを配設して、前記発電施設における発電状況あるいはバッテリーの蓄電状況を表示する装置、パソコンおよび簡易照明を含んだ環境教育用設備に平常時に電力供給できるように構成したことを特徴とする請求項１〜３のいずれか１に記載の災害支援システム。
【発明の詳細な説明】
【０００１】
【発明の属する技術分野】
この発明は、災害時の避難場所等での雨水利用によるトイレ排水の供給および太陽熱利用による簡易給湯を同時に行なうことができると共に、平常時には環境教育用に利用され得る災害時支援システムに関するものである。
【０００２】
【従来の技術】
東海・関東地域での地震等の大きな災害のおそれがあると言われる現在において、そのような非常事態発生に対処できる体制が要望されており、とりわけ生活用水の確保が重要である。
【０００３】
【発明が解決しようとする課題】
ところが、そのような災害が発生した場合には、飲料水は備蓄または救援物資で調達されたとしても、人間の排泄処理のための処理水を確保することが難しく、下水道が普及すればするほど、その施設が受ける被害が大きくなるので、ますます排泄処理水の確保が難しくなり、そのような処理水確保のために、雨水を予め地下等に大量に貯蔵することが好ましいと考えられるが、災害時のように電気や水道等が使用できない場合には、貯蔵水を十分に活用することができないという問題がある。
【０００４】
そこで、本発明は、災害時のような電気や水道等が使用できないような状況のもとでの、避難所等における生活用水確保のための災害支援システムを提案することを目的とする。
【０００５】
【課題を解決するための手段】
発明者は、上記目的の実現のために鋭意研鑚を続けた結果、以下の内容を要旨構成とする本発明を完成するに至った。
【０００６】
すなわち、本発明は、請求項１に記載されたように、
濾過機能を備えた可搬式の雨水貯留タンクと、真空貯湯型の可搬式太陽熱集熱器とを災害時の避難場所等に設置し、前記雨水貯留タンク内に予め貯水された雨水を一方では前記太陽熱集熱器に供給して簡易給湯を行なうような配管を配設するとともに、他方では避難場所等のトイレ施設にトイレ排水として供給するような配管を含んだポンプ設備を配設し、災害時には前記ポンプ設備を予め蓄電したバッテリーによって作動させるようにしたことを特徴とする災害支援システムである。
【０００７】
このようなシステムによれば、大災害のような非常事態時においても、避難所等でのトイレ排水の供給や簡易給湯が可能となり、生活用水を確保することができる。
【０００８】
上記請求項２に記載の発明は、請求項１にかかる災害支援システムにおいて、雨水貯留タンクと太陽熱集熱器との間に浄水装置が配設されていることを特徴とする。
【０００９】
このような構成によれば、上記効果に加えて、貯水された雨水を浄水化できるので、災害時に安心して洗面用水や簡易シャワー等の飲料水として使用できるという効果がある。また、平常時においても、夏期などに、可搬式の太陽熱集熱器を学校等のプールサイドに移動させ、温水による簡易式シャワーとして使用することもできる。
【００１０】
上記請求項３に記載の発明は、請求項１または２にかかる災害支援システムにおいて、避難場所等に雨水貯留タンクの濾過された雨水を貯蔵する予備タンクが配設されていることを特徴とする。
【００１１】
このような構成によれば、上記効果に加えて、雨水から大容量の濾過された水を貯蔵することができるので、災害時の避難所等での生活用水を十分に確保することができる。また、万が一、貯蔵された濾過水がなくなった場合でも、通常、避難所等に設置されている防火水槽等の貯水施設やプールの水を、濾過機能を有する可搬式の雨水貯留タンクを介して、予備タンクに補給することができるという効果がある。
【００１２】
上記請求項４に記載の発明は、請求項１〜３のいずれか１にかかる災害支援システムにおいて、バッテリーに電力を供給する太陽光発電モジュールまたは風力発電装置を避難所等に設置し、それらの発電施設における発電状況あるいはバッテリーの蓄電状況を表示する装置、パソコンおよび簡易照明を含んだ環境教育用設備に平常時に電力供給できるように構成されていることを特徴とする。
【００１３】
このような構成によれば、上記効果に加えて、平常時において、学校等の公共施設において、太陽光発電や風力発電等の自然環境に関する教育実践に十分に役立つという効果を得ることができる。
【００１４】
【発明の実施の形態】
以下、本発明にかかる災害支援システムの一実施形態について、添付図面を参照にして説明する。
【００１５】
図において、符号１０は災害支援システム全体を示しており、基本的には、災害時に学校等の公共施設からなる避難所（以下、「避難所等」という）に配設されるべき濾過機能を有する可搬式の雨水貯留タンク１２と、その雨水を太陽熱利用により暖める可搬式の太陽熱集熱器１４と、その太陽熱集熱器１４により暖めれたお湯を利用する簡易シャワー１５を含んだ簡易給湯設備１７と、雨水貯留タンク１２に貯留された雨水を、災害時には避難所等のトイレ設備にトイレ排水として供給したり、太陽熱集熱器１４に供給するような作動されるポンプ１６と、そのポンプ１６を駆動させるバッテリー２０とから構成される。
【００１６】
上記可搬式の雨水貯留タンク１２は、平常には、災害時に備えてその避難所等の屋外または屋内に配置され、建物の屋根に降った雨水をパイプ等の配管を経由して集水し、貯留するように構成される。
【００１７】
この雨水貯留タンク１２は、建物の屋根に降った雨水が集められる沈殿槽と、その沈殿槽に連通する利用水槽と、沈殿槽と利用水槽との間に配設された濾過材とからなり、パイプ等の配管を経由して沈殿槽に集められた雨水が濾過材によって濾過された後、利用水槽内に貯留されるように構成される。
【００１８】
さらに、避難所等には予備タンク３２が設置されることが望ましく、前記利用水槽内に貯留された濾過水が、災害時に備えてこの予備タンク３２に予め大量に貯蔵されることが望ましい（一次濾過水）。なお、この予備タンク３２は、この実施形態においては、地下に埋設したタイプのものであるが、これに限らず地上設備であっても良い。
【００１９】
上記可搬式の太陽熱集熱器１４は、公知の真空貯湯式であることが望ましく、雨水貯留タンク１２の利用水槽に接続される配管途中にポンプ１６を配設し、このポンプ１６を作動することによって、雨水貯留タンク１２から濾過された雨水が供給されるように構成される。
上記真空貯湯式の太陽熱集熱器１４を採用したのは、集熱効率が高く、曇天でも高い温水温度が得られからである。
【００２０】
また、太陽熱集熱器１４とポンプ１６との間に、浄水装置１８を配設し、雨水貯留タンク１２から供給される濾過された雨水に含まれることがある有害物質を除去したり、除菌したりすることによって、雨水をより安全で衛生的な水に浄化することが好ましい。
【００２１】
このような浄水装置１８としては、公知の逆浸透膜式浄水装置やイオン交換樹脂式浄水装置等が用いられるが、逆浸透膜式浄水装置を用いるのが好ましい。
【００２２】
上記浄化装置１８を介して太陽熱集熱器１４に供給された水は、そこで太陽熱により暖められてお湯となり、そこから適切な配管によって簡易給湯設備１７に供給されることが望ましい実施の形態である。
【００２３】
この簡易給湯設備１７は、避難所等に設置した簡易シャワー室１９内に設けた簡易シャワー１５の他に、必要に応じて、洗面用水（飲料水）を供給するような設備として用いることもできる。
【００２４】
本発明にかかる災害支援システムにおいては、災害時に雨水貯留タンク１２にて濾過された雨水を、ポンプ１６によって太陽熱集熱器１４を介して簡易給湯設備１７まで供給するような配管を設置するだけでなく、避難所内に設置されたトイレ２８に、トイレ排水を供給するような配管を設置することによって、電気や水道等が使用できない場合にも、災害時の避難所等における水廻りのシステム化が可能となり、また平常時には、そのような配管を用いて避難所におけるスプリンクラー等の散水設備３０として利用できる。なお、下水道管が使用できなくなった場合には、別途に、排水槽を設ける必要が生じることは言うまでもないことである。
【００２５】
上記災害支援システムにおけるバッテリー２０は、ポンプ１６を駆動できるものであれば良く、公知の鉛蓄電池やニッケルカドミウム電池が使用され得る。
特に、太陽光発電モジュール２４または風力発電装置から供給される電力を蓄電するように構成されたバッテリーであることが望ましく、また、これらの発電装置は、避難所等に設置されることが好ましい実施の形態である。
上記太陽光発電モジュール２４等の大きさは、常時バッテリー２０に充電することができ、規模に応じたポンプ能力に合わせた容量のものを選定する。
【００２６】
また、上記ポンプ１６は交流電源により駆動されることが望ましく、その場合には、バッテリー２０との間にインバータ２６を配設し、直流を交流に変換してからポンプ１６を駆動させる。
【００２７】
本発明にかかる災害支援システムは、電気や水道等が使用できない災害時においては、給湯およびトイレ排水の供給を行なって避難所等の水廻りのシステム化を可能とするものであるが、太陽光発電モジュール２４または風力発電装置の発電状況を表示したり、バッテリー２０の蓄電状況を表示したりする表示装置３４や、パソコン３６および簡易照明３８を含んだ設備を、学校等の公共施設に設置しておくことによって、平常時においては、環境教育用システムとして利用することができる。
【００２８】
【発明の効果】
以上説明したように、本発明によれば、災害時においては、避難所等における給湯およびトイレ排水の供給あるいは必要に応じて飲用水の供給という水廻りのシステム化が可能となり、さらに平常時においては、太陽光発電等の発電状況やバッテリーの蓄電状況を表示したり、パソコンの利用や簡易照明の点灯を行なって、学生を含めた一般市民の自然環境に対する意識改革にも役立てることができるという効果がある。
【図面の簡単な説明】
【図１】本発明の災害支援システムを示す概略図である。
【符号の説明】
１０　災害支援システム
１２　雨水貯留タンク
１４　太陽熱集熱器
１５　簡易シャワー
１６　ポンプ
１７　簡易給湯設備
１８　浄水装置
２０　バッテリー
２４　太陽光発電モジュール
２６　インバータ
２８　トイレ排水
３０　散水設備
３２　予備タンク
３４　表示装置
３６　パソコン
３８　簡易照明
【図１】
2004044089.tif 000003